(57)【特許請求の範囲】
【請求項１】
原稿からの画像光を読み取って電気信号である画像データを生成する画像読み取り手段と、
この画像読み取り手段からの前記画像データを処理する画像処理手段と、
この画像処理手段により処理された前記画像データを記憶する複数の記憶手段と、
これらの記憶手段に記憶された前記画像データを読み出して記録紙に記録する複数の記録手段と、
前記記憶手段と前記記録手段との間に接続され前記画像データにγ補正をする複数のγ補正手段とを有し、
前記複数の記録手段の各々の状態に応じた特定のγ補正を前記γ補正手段のいずれかよって施すことを特徴とする記録システム。
【請求項２】
請求項１に記載のシステムにおいて、前記システムは、さらに、各記録手段の最大出力濃度を検出する手段とを有し、前記γ補正手段は、検出された各記録手段の最大出力濃度の内、最も低い最大出力濃度を最大濃度としてγ補正を行うことを特徴とする記録システム。
【請求項３】
請求項１又は２記載の記録システムにおいて、前記システムは、さらに、画像データを記録紙に記録中の記録手段の内、少なくとも１つを開放し、他の画像データの記録を行わせる制御手段を有することを特徴とする記録システム。
【請求項４】
請求項１から３のいずれか１項に記載の記録システムにおいて、前記システムは、さらに、前記記録手段の内の少なくとも一つが動作中であって、当該記録手段が記録している画像データが前記記憶手段に残っている場合に、当該画像データを当該記録手段と休止中の記録手段とに記録させる第２の制御手段を有することを特徴とする記録システム。
【請求項５】
請求項１から４のいずれか１項に記載の記録システムにおいて、前記画像処理手段は、ＣＹＭＢｋフィルタ部を有することを特徴とする記録システム。
【請求項６】
請求項１から５のいずれか１項に記載の記録システムにおいて、前記記憶手段と前記記録手段との間に接続されている複数の階調補正手段を有することを特徴とする記録システム。
【請求項７】
請求項１から６のいずれか１項に記載の記録システムにおいて、前記記憶手段は前記記録手段の１出力分のデータを記憶することを特徴とする記録システム。
【発明の詳細な説明】
【０００１】
【発明の属する技術分野】
本発明は、複数の記録装置で適切な記録をする記録システムに関するものである。
【０００２】
【従来の技術】
従来より、記録装置として、特開平１０−４９３１４号公報、特開平１０−１１２４０号公報および特開平７−１３７１７号公報に記載されたものが知られている。これらの記録装置は、ネットワーク上に接続された複数の記録装置を有し、１台の記録装置でプリントアウト中にプリント不能になった時に他の記録装置でプリントアウトするものである。
また、特開平１１−１１０１６０号公報に記載された記録装置は、ＩＥＥ１３９４インターフェースのアイソクロナス転送（同期転送）を用いることにより、複数ページの文章を多数部印刷する場合に複数の記録装置でを高速にプリントアウトするものである。
また、特開平６−６７８２３号公報、特開平６−１４３７５５号公報、特開平１１−１１０１５９号公報および特開平９−１９０３１４号公報に記載された記録装置は、ネットワーク上に接続された複数台の記録装置を有し、利用者の要求仕様に応じた最適な記録装置を選択しこの選択された記録装置で記録するものである。
【０００３】
【発明が解決しようとする課題】
しかしながら、従来の記録装置においては、複数の記録装置のみを効率よく運用するものであって、画像読み取り装置と記録装置を効率よく運用するものではないという問題がある。
本発明の課題は、画像読み取り装置と記録装置を効率よく運用することができる記録システムを提供することにある。
【０００４】
【課題を解決するための手段】
前記課題を解決するために、請求項１に記載の記録システムの発明は、原稿からの画像光を読み取って電気信号である画像データを生成する画像読み取り手段と、この画像読み取り手段からの画像データを処理する画像処理手段と、この画像処理手段により処理された画像データを記憶する複数の記憶手段と、これらの記憶手段に記憶された画像データを読み出して記録紙に記録する複数の記録手段と、記憶手段と記録手段との間に接続され画像データにγ補正をする複数のγ補正手段とを有し、複数の記録手段の各々の状態に応じた特定のγ補正をγ補正手段のいずれかよって施すことを特徴とする。
請求項２に記載の発明は、請求項１に記載のシステムにおいて、システムは、さらに、各記録手段の最大出力濃度を検出する手段とを有し、γ補正手段は、検出された各記録手段の最大出力濃度の内、最も低い最大出力濃度を最大濃度としてγ補正を行うことを特徴とする。
請求項３に記載の発明は、請求項１又は２記載の記録システムにおいて、システムは、さらに、画像データを記録紙に記録中の記録手段の内、少なくとも１つを開放し、他の画像データの記録を行わせる制御手段を有することを特徴とする。
請求項４に記載の発明は、請求項１から３のいずれか１項に記載の記録システムにおいて、システムは、さらに、記録手段の内の少なくとも一つが動作中であって、記録手段が記録している画像データが記憶手段に残っている場合に、画像データを記録手段と休止中の記録手段とに記録させる第２の制御手段を有することを特徴とする。
請求項５に記載の発明は、請求項１から４のいずれか１項に記載の記録システムにおいて、画像処理手段は、ＣＹＭＢｋフィルタ部を有することを特徴とする。
請求項６に記載の発明は、請求項１から５のいずれか１項に記載の記録システムにおいて、記憶手段と記録手段との間に接続されている複数の階調補正手段を有することを特徴とする。
請求項７に記載の発明は、請求項１から６のいずれか１項に記載の記録システムにおいて、記憶手段は記録手段の１出力分のデータを記憶することを特徴とする。
【０００５】
【発明の実施の形態】
次に、本発明の実施の形態を図面に基づいて詳細に説明する。
図１は、本発明の１つの実施の形態としての記録システムを示すブロック図である。図１に示すように、本発明の１つの実施の形態としての記録システムは、画像読み取り装置（画像読み取り手段）１と、画像処理装置（画像処理手段）２と、複数の記憶装置（記憶手段）３と、複数のＣＭＹＢｋγ補正装置（γ補正手段）４と、複数の階調補正装置（階調補正手段）５と、複数の記録装置（記録手段）６と、制御装置７とを有している。
画像処理装置２は、画像読み取り装置１に接続されている。複数の記憶装置３は、画像処理装置２に接続されている。複数のＣＭＹＢｋγ補正装置４は、複数の記憶装置３に接続されている。複数の階調補正装置５は、複数のＣＭＹＢｋγ補正装置４に接続されている。複数の記録装置５は、複数の階調補正装置５に接続されている。制御装置７は、画像読み取り装置１と、画像処理装置２と、複数の記憶装置３と、複数のＣＭＹＢｋγ補正装置４と、複数の階調補正装置５と、複数の記録装置６とに接続され、これらの動作を制御する。
画像読み取り装置１は、原稿からの画像光を読み取って電気信号であるアナログの画像データを生成してデジタルの画像データに変換して出力する。画像処理装置２は、画像読み取り装置１からの画像データに各種補正処理等を施すと共に線画認識および色判定等の原稿認識を行う。複数の記憶装置３は、画像処理装置２の処理の動作に同期してこの画像処理装置２により処理された前記画像データを記憶する。
複数のＣＭＹＢｋγ補正装置４は、画像データにγ補正をする。複数の階調補正装置５は、画像データの階調を補正する。複数の記録装置６は、複数の記憶装置３の記憶の動作に同期してこれらの記憶装置３に記憶された前記画像データをＣＭＹＢｋγ補正装置４および階調補正装置５を介して受けて記録紙に記録する。
なお、ここでは、画像読み取り装置１はＲ（レッド）、Ｇ（グリーン）、Ｂ（ブルー）の３色のカラー画像データ（以下、ＲＧＢデータと称する）を読み取り、画像処理装置２はＲＧＢデータをＣ（シアン）、Ｍ（マゼンタ）、Ｙ（イエロー）、Ｂｋ（ブラック）の４色のカラー画像データ（以下、ＣＭＹＢｋデータと称する）に色変換し、記録装置６はＣＭＹＢｋデータに基づいて記録紙にカラー画像を記録するものとして説明する。
【０００６】
図２は、画像処理装置２を示すブロック図である。図２に示すように、画像処理装置２は、ＲＧＢγ補正部８と、原稿認識部９と、遅延部１０と、ＲＧＢフィルタ部１１と、色補正部１２と、ＵＣＲ部１３と、変倍部１４と、ＣＭＹＢｋフィルタ部１５とを有している。
ＲＧＢγ補正部８および原稿認識部９は、画像読み取り装置１に接続されている。遅延部１０は、ＲＧＢγ補正部８に接続されている。ＲＧＢフィルタ部１１は、遅延部８および原稿認識部９に接続されている。色補正部１２は、ＲＧＢフィルタ部１１に接続されている。ＵＣＲ部１３は、色補正部１２に接続されている。変倍部１４は、ＵＣＲ部１３に接続されている。ＣＭＹＢｋフィルタ部１５は、変倍部１４と複数の記憶装置３との間に接続されている。
ＲＧＢγ補正部８は、画像読み取り装置１からＲＧＢデータを受けて反射率データ（ＲＧＢデータ）を濃度データ（ＲＧＢデータ）に変換する。原稿認識部９は、画像読み取り装置１から受けたＲＧＢデータに基づいて文字領域か絵柄領域か否かを判定して次段のＲＧＢフィルタ部１１にＣ／Ｐ信号を出力すると共に、原稿領域の有彩領域か無彩領域かを判定してＲＧＢフィルタ部１１にＢ／Ｃ信号を出力する。遅延部１０は、ＲＧＢγ補正部８からＲＧＢデータを受けて、原稿認識部９の出力結果と同期をとるためにＲＧＢデータを遅延させる。ＲＧＢフィルタ部１１は、ＲＧＢデータにＭＴＦ補正を行う。色補正部１２は、ＲＧＢデータを一次のマスキング等でＣＭＹデータに変換する。ＵＣＲ部１３は、ＣＭＹデータの共通部分をＵＣＲ（加色除去）処理してＢｋデータを生成する。変倍部１４は、画像データに主走査方向の拡大、縮小または等倍処理を施す。ＣＭＹＢｋフィルタ部１５は、画像データに平滑化処理や鮮鋭化処理を行ってこの画像データを複数の記憶装置３に与える。
複数の記憶装置３は、同一の構成であり、ＣＭＹＢｋフィルタ部１５の出力のコピー１ページ分（記録装置６の１出力分のデータ）を蓄えることが可能なメモリ（記憶手段）である。これらの記憶装置３は、画像データとＣ／Ｐ信号を圧縮して蓄える。ＣＭＹＢｋγ補正部４は、記憶装置３の出力と記録装置６の記録特性に応じて画像データにγ補正を行う。階調処理部５は、画像データにディザ処理または誤差拡散処理等の量子化を行って信号, ＭＧを出力する。
なお、原稿認識部９から出力されるＣ／Ｐ信号は２ビット信号である。Ｃ／Ｐ信号が『３』で文字エッヂ領域を示し、Ｃ／Ｐ信号が『１』で文字のなか領域を示し、Ｃ／Ｐ信号が『０』で絵柄領域を示す。このＣ／Ｐ信号は、ＲＧＢフィルタ部１１と、色補正部１２と、ＵＣＲ部１３と、変倍部１４と、ＣＭＹＢｋフィルタ部１５、ＣＭＹＢｋγ補正装置４および階調処理装置５にカスケード接続され、画像データに同期して信号ＩＭＧを出力する。また、信号ＩＭＧは、Ｃ、Ｍ、Ｙ、Ｂｋのうち一色を出力する面順次の一色のデータである。すなわち、４回の原稿読み取りを行うことにより、フルカラー（４色）のデータを生成する。
【０００７】
原稿認識部９は、画像データの白黒画像データ以外（有彩画像データ）が一定数あるかどうかで、カラー原稿か白黒原稿かの判定を行う。また、白黒複写のときは、Ｂｋの画像の１回の作像でよい。原稿認識部９により認識した原稿の画像に応じた作像回数ですむので、操作者が、原稿に応じてカラー原稿か白黒原稿かを判断して複写する必要がなくなる。
また、Ｂ／Ｃ信号（１ビット信号）のロジックは、Ｈで無彩領域を示し、Ｌで有彩領域を示す。このＢ／Ｃ信号は、ＲＧＢフィルタ部１１と、色補正部１２と、ＵＣＲ部１３にカスケード接続され、画像データに同期して出力される。ＲＧＢフィルタ部１１は、ＲＧＢデータをＭＴＦ補正するフィルタであり、Ｎ×Ｎのマトリックスで構成されている。ＲＧＢフィルタ部１１は、Ｃ／Ｐ信号が『３』の時には、鮮鋭化処理を行い、『０、１』の時には平滑化処理を行ってそのまま出力する。
ＵＣＲ部１３は、画像データの色再現を向上させるためのものであり、色補正部１２から入力したＣＭＹデータの共通部分をＵＣＲ（加色除去）処理してＢｋデータを生成し、ＣＭＹＢｋデータを出力する。ここで、Ｃ／Ｐ信号が『３』以外の時は、ＵＣＲ部１３は、スケルトンブラックのＢｋ生成を行う。Ｃ／Ｐ信号が『３』の時は、ＵＣＲ部１３は、フルブラック処理を行う。さらにＣ／Ｐ信号が『３』であり、かつ、Ｂ／Ｃ信号がＨである時は、ＵＣＲ部１３は、Ｃ、Ｍ、Ｙのデータをイレースする。これは、黒文字の時、黒成分のみで表現するためである。
ＣＭＹＢｋフィルタ部１５は、記録装置６の階調特性やＣ／Ｐ信号に応じて、Ｎ×Ｎの空間フィルタを用い、平滑化や鮮鋭化処理を行う。ＣＭＹＢｋγ補正部４は、記録装置６の周波数特性やＣ／Ｐ信号に応じて、γカーブを変更し処理する。ＣＭＹＢｋγ補正部４は、Ｃ／Ｐ信号が『０、１』の時は画像を忠実に再現したγカーブを用い、Ｃ／Ｐ信号が『３』の時はγカーブを立たせてコントラストを強調する。
【０００８】
階調補正装置５は、記録装置６の階調特性やＣ／Ｐ信号に応じて、ディザ処理等の量子化を行う。階調補正装置５は、Ｂｋ作像の時において、Ｃ／Ｐ信号が『０』の時には階調重視の処理を行い、Ｃ／Ｐ信号が『０』以外の時は解像力重視の処理を行う。階調補正装置５は、Ｂｋ以外の作像の時において、Ｃ／Ｐ信号が『０、１』の時には階調重視の処理を行い、Ｃ／Ｐ信号が『０、１』以外の時には解像力重視の処理を行う。
前記画像処理装置２の各部の構成より、明らかなように、画像処理装置２では、絵柄処理（Ｃ／Ｐ信号＝０）の時は、ＲＧＢフィルタ部１１で平滑化処理を行い、ＵＣＲ部１３でスケルトンブラックの処理を行い、ＣＭＹＢｋγ補正装置４ではリニア（階調性）を重視したカーブを選択し、ＣＭＹＢｋフィルタ部１５および階調補正装置５では階調を重視した処理を行う。
一方、文字処理（Ｃ／Ｐ信号＝３でＢ／Ｃ信号＝Ｌ）の時は、ＲＧＢフィルタ部１１で強調処理を行い、ＵＣＲ部１３でフルブラック処理を行い、ＣＭＹＢｋγ補正装置４ではコントラストを重視したカーブを選択し、ＣＭＹＢｋフィルタ部１５および階調補正装置５では解像度を重視した処理を行う。
また、黒文字処理（Ｃ／Ｐ信号＝３でＢ／Ｃ信号＝Ｈ）として、Ｂｋを除くＣＭＹ時には、ＣＭＹデータを印字しない。これは、黒文字の周りが位置ずれのために色付くのを防ぐためである。また、この時のＢｋデータのＲＧＢフィルタ１１は色文字のときより、強めにおこなってくっきりさせても良い。さらに、文字のなかの処理（Ｃ／Ｐ信号＝１）の時は、ＲＧＢフィルタ部１１で平滑化処理を行い、ＵＣＲ部１３でスケルトンブラックの処理を行い、ＣＭＹＢｋγ補正装置４ではリニア（階調性）を重視したカーブを選択し、ＣＭＹＢｋフィルタ部１５では階調を重視した処理を行う。制御装置７は、全体の流れを管理していて特に記録装置６の異常などを検出する。記録装置６は、画像濃度を一定にする濃度調整機構を有しており、最大濃度を一定管理している。記録装置６の濃度調整機構は、目標濃度に対して出力濃度を合わせようとしている。
【０００９】
次に、本発明の１つの実施の形態としての記録システムのより具体的な動作を説明する。
先ず、原稿が１枚で、複写枚数が３０枚の場合について説明する。
操作者は、画像読み取り装置１に原稿をセットして、操作部（図示せず）により、使用する記録装置（ここでは３台の記録装置）６と複写枚数３０枚の情報を入力する。制御装置７は、それぞれの３台の記録装置６による記録画像の最大濃度のうちもっとも濃度の低い記録装置６による記録画像の濃度を最大濃度として記録するようにＣＭＹＢN γ補正装置４のγを作成する。このことにより、どの記録装置６でも最大濃度のそろった複写物を出力することが可能となる。
次に、原稿読み取り装置３は、原稿を読み取り速度に同期して画像処理装置２に画像データを出力する。画像処理装置２は、原稿読み取り装置１の読み取り速度に同期して順次各ブロックの処理を行い、処理した結果を記憶装置３に格納する。画像処理装置２は、記憶装置３に画像データを出力し、記録装置６の記録速度に応じて順次に画像データの処理を行う。記録装置６は、白黒原稿の画像データを記録する時には、Ｂｋ作像のみで１枚の記録紙への記録を行って、これを１０回繰り返す。また、記録装置６は、カラー原稿の画像データを記録する時には、Ｃ作像、Ｍ作像、Ｙ作像およびＢｋ作像の４回の作像を行って１枚の記録紙への記録を行い、これを１０回繰り返す。各記録装置９は、記録が完了したら制御装置７に出力完了したことを知らせる。すべての記録装置６の記録が完了したら記録動作の終了となる。
画像の読み取り時に、画像読み取り装置１の読み取り速度で順次に処理をし、記録時に記録装置６ごとの記録速度に応じて処理をすることが可能であるので複写動作を効率よく行うことができる。また、記録装置６の記録速度が記録装置６ごとに異なっても、それぞれ対応した記憶装置３があるから、各記録装置６は各記録速度に応じて独立して動作することができるので、異なる速度の記録装置６でも同時に動作することが可能である。
【００１０】
次に、記録装置６で何らかの異常（紙詰まり、用紙なしなど）が生じて記録動作が行えない状況が生じた場合を説明する。
１台の記録装置６は、記録中に異常が起きて記録できなくなった時に記録動作ができなくなったことを制御装置７に知らせる。制御装置７は、当該１台の記録装置６の記録動作ができなくなったことを表示装置（図示せず）に表示させる。他の２台の記録装置６は、そのまま記録動作を実行をする。他の２台の記録装置６が記録を完了しても、当該１台の記録装置６が記録不能であれば、この記録装置６の未記録枚数の記録紙を他の２台の記録装置６で記録する。例えば、１台の記録装置６の未記録枚数が６枚であれば、他の２台の記録装置６はそれぞれの３枚の記録紙に記録する。このように、記録装置６の異常事態に対応することにより、効率よく記録動作を行うことができる。
【００１１】
次に、１つの原稿の画像を３台の記録装置６が記録している途中で１台の記録装置６で他の原稿の画像を記録する例を説明する。
操作者は、画像読み取り装置１に原稿をセットして、操作部（図示せず）により、使用する記録装置（ここでは３台の記録装置）６と複写枚数３０枚の情報を入力する。制御装置７は、それぞれの３台の記録装置６による記録画像の最大濃度のうちもっとも濃度の低い記録装置６による記録画像の濃度を最大濃度として記録するようにＣＭＹＢN γ補正装置４のγを作成する。このことにより、どの記録装置６でも最大濃度のそろった複写物を出力することが可能となる。
次に、原稿読み取り装置１は、原稿を読み取り速度に同期して画像処理装置２に画像データを出力する。画像処理装置２は、原稿読み取り装置１の読み取り速度に同期して順次各ブロックの処理を行い、処理した結果を記憶装置３に格納する。画像処理装置２は、記憶装置３に画像データを出力し、記録装置６の記録速度に応じて順次に画像データの処理を行う。記録装置６は、白黒原稿の画像データを記録する時には、Ｂｋ作像のみで１枚の記録紙への記録を行って、これを１０回繰り返す。
【００１２】
ここで、３台の記録装置６が１つの原稿の画像の記録中に１台の記録装置６で他の原稿の画像を記録したい場合は以下のように行う。
操作者は、画像読み取り装置１に他の原稿をおいて、操作部（図示せず）により１台の記録装置６の動作を終了して使用する記録装置６と複写枚数の情報を入力する。制御装置７は、それぞれの記録装置６による記録画像の最大濃度を最大濃度として記録するようにＣＭＹＢN γ補正装置４のγを作成する。
次に、原稿読み取り装置１は、原稿を読み取り速度に同期して画像処理装置２に画像データを出力する。画像処理装置２は、原稿読み取り装置１の読み取り速度に同期して順次各ブロックの処理を行い、処理した結果を記憶装置３に格納する。画像処理装置２は、記憶装置３に画像データを出力し、記録装置６の記録速度に応じて順次に画像データの処理を行う。記録装置６は、白黒原稿の画像データを記録する時には、Ｂｋ作像のみで１枚の記録紙への記録を行って、これを複数回繰り返す。また、記録装置６は、カラー原稿の画像データを記録する時には、Ｃ作像、Ｍ作像、Ｙ作像およびＢｋ作像の４回の作像を行って１枚の記録紙への記録を行い、これを複数回繰り返す。各記録装置６は、記録が完了したら、制御装置７に出力完了したことを知らせる。すべての記録装置６の記録が完了したら記録動作の終了となる。
ここで、記憶装置３が２ページ以上の容量を有しているならば、１台の記録装置６の１つの原稿の記録終了後、他の２台の記録装置６が当該１つの原稿の前の原稿の記録動作をしているならば、当該１台の記録装置６も前記前の原稿の記録動作を行う。例えば、未記録枚数が２０枚である場合、３台の記録装置６は、それぞれ、７枚、７枚、６枚の記録紙に記録するように設定を変更する。このことにより、効率よく複写することが可能となる。
記憶装置３が２ページ以上の容量を有しているならば、１つの記憶装置３のみに画像データを格納するのではなく、他の記憶装置３に同時に画像データを格納しても良い。このことにより、先に記録を開始した原稿の画像を１台の記録装置６が先に記録を終了しても、当該１台の記録装置が後の原稿の画像を記録することが可能となる。記録速度の違う複数の記録装置６を使用した場合、記録終了が同時になるように、各記録装置６に記録枚数を設定すればよい。なお、本発明の１つの実施の形態において、記憶装置３から画像データを直接に記録装置６に送るように構成してもよい。
【００１３】
【発明の効果】
以上の説明からも明らかなように、請求項１に記載の発明によれば、原稿からの画像光を読み取って電気信号である画像データを生成する画像読み取り手段と、この画像読み取り手段からの画像データを処理する画像処理手段と、この画像処理手段の処理の動作に同期してこの画像処理手段により処理された前記画像データを記憶する複数の記憶手段と、これらの記憶手段の記憶の動作に同期してこれらの記憶手段に記憶された前記画像データを読み出して記録紙に記録する複数の記録手段とを有するから、画像読み取り装置と記録装置を効率よく運用することができる。
請求項２に記載の発明によれば、さらに、複数設けた記録手段の最大出力濃度を検出し、検出値の内の最も低い値を最大濃度としてγ補正データを作成するので、どの記録手段でも最大濃度の同じ出力を得ることが可能となる。
請求項３に記載の発明によれば、さらに、少なくとも１台の記録手段を開放し、他の画像データを優先して記録する、いわゆる割り込み機能を実現することができる。
請求項４に記載の発明によれば、さらに、少なくとも１台の記録手段が出力動作をしていて、少なくとも１台の記録手段が出力動作をしていない場合に、この動作していない記録手段にも動作中の記録手段が記録中の画像データの記録を行わせるため、システムの効率を高めることが可能となる。特に、少部数の記録が先に終了した場合、終了していない記録を再開すれば、処理効率は極めて高くなることが期待できる。
請求項５に記載の発明によれば、さらに、画像処理手段は、ＣＹＭＢｋフィルタ部を有するから、複数の記録装置による記録画像のボケの補正を個々に行うことが可能である。
請求項６に記載の発明によれば、さらに、記憶手段と記録手段との間に接続されている複数の階調補正手段を有するから、複数の記録装置による記録画像のボケの補正を個々に行うことが可能である。
請求項７に記載の発明によれば、さらに、記憶手段は記録手段の１出力分のデータを記憶するから、１回の画像の読み取り動作で複数回の記録が可能になる。
【図面の簡単な説明】
【図１】本発明の１つの実施の形態としての記録システムを示すブロック図である。
【図２】図１の記録システムの画像処理装置を示すブロック図である。
【符号の説明】
１  画像読み取り装置（画像読み取り手段）
２  画像処理装置（画像処理手段）
３  記憶装置（記憶手段）
４  ＣＭＹＢｋγ補正装置（γ補正手段）
５  階調補正装置（階調補正手段）
６  記録装置（記録手段）
７  制御装置
８  ＲＧＢγ補正部
９  原稿認識部
１０  遅延部
１１  ＲＧＢフィルタ部
１２  色補正部
１３  ＵＣＲ部
１４  変倍部
１５  ＣＭＹＢｋフィルタ部
【図１】
0003881178.tif 000002
【図２】
0003881178.tif 000003